【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
無線通信システムにおいて送信装置が直交周波数分割多重化(ＯＦＤＭ)信号を送信する方法において、
ＯＦＤＭシンボルに対する基底帯域信号を生成するステップと、
搬送波周波数f０とNint＊Nbase＊△fとの間の差Nfrac＊△f＋△offsetに基づいて、少なくともNbase＊ｂ個の所定の位相補償シーケンスのうちの１個の位相補償シーケンスを決定するステップであって、Nintはf０とNbase＊△fに基づく非負の整数であり、△fは前記無線通信システムによりサポートされる最小副搬送波間隔であり、Nfracは０からNbase−１のうちの整数であり、△offsetは大きさが△fより小さい実数であり、ｂは前記無線通信システムにおける値△offsetの数である、ステップと、
前記決定された位相補償シーケンスに基づいて、前記ＯＦＤＭシンボルに対する前記基底帯域信号に位相補償値を適用して、前記ＯＦＤＭシンボルに対する位相補償された基底帯域信号を生成するステップと、
前記送信装置のアナログオシレーターが、前記ＯＦＤＭシンボルに対する前記位相補償された基底帯域信号を前記搬送波周波数f０だけアップ・コンバートして、前記搬送波周波数f０における前記ＯＦＤＭシンボルに対するＯＦＤＭシンボル信号を生成するステップと、
前記ＯＦＤＭシンボルに対する前記ＯＦＤＭシンボル信号を送信するステップと、を含み、
前記Nbase＊ｂ個の所定の位相補償シーケンスは、Nfracと△offsetの異なる組合せにそれぞれ関連し、
前記Nbase＊ｂ個の所定の位相補償シーケンスのそれぞれは、複数のＯＦＤＭシンボルに対するそれぞれの位相補償値から成り、
Nbase＝Nsample／gcd{NCP,1, NCP,2, ..., NCP,m, Nsample}であり、NCP,1, NCP,2, ..., NCP,mは前記無線通信システムにおいてサポートされる循環前置（ＣＰ）長であり、NsampleはＣＰを除いたＯＦＤＭシンボル当たりの長さであり、gcd{NCP,1, NCP,2, ..., NCP,m, Nsample}は前記無線通信システムにおいてサポートされる前記ＣＰ長とNsampleとの最大公約数である、方法。
【請求項２】
前記無線通信システムにおいてサポートされる前記ＣＰ長は、144＊Tsと160＊Tsを含み、Nsample＝2048＊Tsであり、Ts＝1/(2048＊15kHz)である、請求項１に記載の方法。
【請求項３】
Nbase＝128である、請求項２に記載の方法。
【請求項４】
前記無線通信システムにおいて、△offsetに対して３個の値のみあり、ｂは３と等しい、請求項１に記載の方法。
【請求項５】
△f＝15kHzである、請求項１に記載の方法。
【請求項６】
無線通信システムにおいて受信装置が直交周波数分割多重化(ＯＦＤＭ)信号を受信する方法において、
搬送波周波数f０においてＯＦＤＭシンボルに対するＯＦＤＭシンボル信号を受信するステップと、
前記受信装置のアナログオシレーターが、前記ＯＦＤＭシンボルに対する前記ＯＦＤＭシンボル信号を前記搬送波周波数f０だけダウン・コンバートして、前記ＯＦＤＭシンボルに対するダウン・コンバートされたＯＦＤＭシンボル信号を生成するステップと、
前記搬送波周波数f０とNint＊Nbase＊△fとの間の差Nfrac＊△f＋△offsetに基づいて、少なくともNbase＊ｂ個の所定の位相補償シーケンスのうちの１個の位相補償シーケンスを決定するステップであって、Nintはf０とNbase＊△fに基づく非負の整数であり、△fは前記無線通信システムによりサポートされる最小副搬送波間隔であり、Nfracは０からNbase−１のうちの整数であり、△offsetは大きさが△fより小さい実数であり、ｂは前記無線通信システムにおける値△offsetの数である、ステップと、
前記決定された位相補償シーケンスに基づいて、前記ＯＦＤＭシンボルに対する前記ダウン・コンバートされたＯＦＤＭシンボル信号に位相補償値を適用することに基づいて、前記ＯＦＤＭシンボルに対する基底帯域信号を生成するステップと、を含み、
前記Nbase＊ｂ個の所定の位相補償シーケンスは、Nfracと△offsetの異なる組合せにそれぞれ関連し、
前記Nbase＊ｂ個の所定の位相補償シーケンスのそれぞれは、複数のＯＦＤＭシンボルに対するそれぞれの位相補償値から成り、
Nbase＝Nsample／gcd{NCP,1, NCP,2, ..., NCP,m, Nsample}であり、NCP,1, NCP,2, ..., NCP,mは前記無線通信システムにおいてサポートされる循環前置（ＣＰ）長であり、NsampleはＣＰを除いたＯＦＤＭシンボル当たりの長さであり、gcd{NCP,1, NCP,2, ..., NCP,m, Nsample}は前記無線通信システムにおいてサポートされる前記ＣＰ長とNsampleとの最大公約数である、方法。
【請求項７】
前記無線通信システムにおいてサポートされる前記ＣＰ長は、144＊Tsと160＊Tsを含み、Nsample＝2048＊Tsであり、Ts＝1/(2048＊15kHz)である、請求項６に記載の方法。
【請求項８】
Nbase＝128である、請求項７に記載の方法。
【請求項９】
前記無線通信システムにおいて、△offsetに対して３個の値のみあり、ｂは３と等しい、請求項６に記載の方法。
【請求項１０】
△f＝15kHzである、請求項６に記載の方法。
【請求項１１】
無線通信システムにおいて直交周波数分割多重化(ＯＦＤＭ)信号を送信するための送信装置において、
少なくとも１つのアンテナと、
アナログオシレーターと、
少なくとも１つのプロセッサと、
前記少なくとも１つのプロセッサに動作可能に連結される少なくとも１つのコンピューターメモリと、を含み、
前記少なくとも１つのコンピューターメモリは、実行時に前記少なくとも１つのプロセッサに、
ＯＦＤＭシンボルに対する基底帯域信号を生成し、
搬送波周波数f０とNint＊Nbase＊△fとの間の差Nfrac＊△f＋△offsetに基づいて、少なくともNbase＊ｂ個の所定の位相補償シーケンスのうちの１個の位相補償シーケンスを決定し、Nintはf０とNbase＊△fに基づく非負の整数であり、△fは前記無線通信システムによりサポートされる最小副搬送波間隔であり、Nfracは０からNbase−１のうちの整数であり、△offsetは大きさが△fより小さい実数であり、ｂは前記無線通信システムにおける値△offsetの数であり、
前記決定された位相補償シーケンスに基づいて、前記ＯＦＤＭシンボルに対する前記基底帯域信号に位相補償値を適用して、前記ＯＦＤＭシンボルに対する位相補償された基底帯域信号を生成し、
前記送信装置のアナログオシレーターが、前記ＯＦＤＭシンボルに対する前記位相補償された基底帯域信号を前記搬送波周波数f０だけアップ・コンバートして、前記搬送波周波数f０における前記ＯＦＤＭシンボルに対するＯＦＤＭシンボル信号を生成し、
前記少なくとも１つのアンテナを介して、前記ＯＦＤＭシンボルに対する前記ＯＦＤＭシンボル信号を送信することを含む動作を実行させる指示を格納し、
前記Nbase＊ｂ個の所定の位相補償シーケンスは、Nfracと△offsetの異なる組合せにそれぞれ関連し、
前記Nbase＊ｂ個の所定の位相補償シーケンスのそれぞれは、複数のＯＦＤＭシンボルに対するそれぞれの位相補償値から成り、
Nbase＝Nsample／gcd{NCP,1, NCP,2, ..., NCP,m, Nsample}であり、NCP,1, NCP,2, ..., NCP,mは前記無線通信システムにおいてサポートされる循環前置（ＣＰ）長であり、NsampleはＣＰを除いたＯＦＤＭシンボル当たりの長さであり、gcd{NCP,1, NCP,2, ..., NCP,m, Nsample}は前記無線通信システムにおいてサポートされる前記ＣＰ長とNsampleとの最大公約数である、送信装置。
【請求項１２】
前記無線通信システムにおいてサポートされる前記ＣＰ長は、144＊Tsと160＊Tsを含み、Nsample＝2048＊Tsであり、Ts＝1/(2048＊15kHz)である、請求項１１に記載の送信装置。
【請求項１３】
Nbase＝128である、請求項１２に記載の送信装置。
【請求項１４】
前記無線通信システムにおいて、△offsetに対して３個の値のみあり、ｂは３と等しい、請求項１１に記載の送信装置。
【請求項１５】
△f＝15kHzである、請求項１１に記載の送信装置。
【請求項１６】
無線通信システムにおいて直交周波数分割多重化(ＯＦＤＭ)信号を受信するための受信装置において、
少なくとも１つのアンテナと、
アナログオシレーターと、
少なくとも１つのプロセッサと、
前記少なくとも１つのプロセッサに動作可能に連結される少なくとも１つのコンピューターメモリと、を含み、
前記少なくとも１つのコンピューターメモリは、実行時に前記少なくとも１つのプロセッサに、
前記少なくとも１つのアンテナを介して、搬送波周波数f０においてＯＦＤＭシンボルに対するＯＦＤＭシンボル信号を受信し、
前記受信装置のアナログオシレーターが、前記ＯＦＤＭシンボルに対する前記ＯＦＤＭシンボル信号を前記搬送波周波数f０だけダウン・コンバートして、前記ＯＦＤＭシンボルに対するダウン・コンバートされたＯＦＤＭシンボル信号を生成し、
前記搬送波周波数f０とNint＊Nbase＊△fとの間の差Nfrac＊△f＋△offsetに基づいて、少なくともNbase＊ｂ個の所定の位相補償シーケンスのうちの１個の位相補償シーケンスを決定し、Nintはf０とNbase＊△fに基づく非負の整数であり、△fは前記無線通信システムによりサポートされる最小副搬送波間隔であり、Nfracは０からNbase−１のうちの整数であり、△offsetは大きさが△fより小さい実数であり、ｂは前記無線通信システムにおける値△offsetの数であり、
前記決定された位相補償シーケンスに基づいて、前記ＯＦＤＭシンボルに対する前記ダウン・コンバートされたＯＦＤＭシンボル信号に位相補償値を適用することに基づいて、前記ＯＦＤＭシンボルに対する基底帯域信号を生成することを含む動作を実行させる指示を格納し、
前記Nbase＊ｂ個の所定の位相補償シーケンスは、Nfracと△offsetの異なる組合せにそれぞれ関連し、
前記Nbase＊ｂ個の所定の位相補償シーケンスのそれぞれは、複数のＯＦＤＭシンボルに対するそれぞれの位相補償値から成り、
Nbase＝Nsample／gcd{NCP,1, NCP,2, ..., NCP,m, Nsample}であり、NCP,1, NCP,2, ..., NCP,mは前記無線通信システムにおいてサポートされる循環前置（ＣＰ）長であり、NsampleはＣＰを除いたＯＦＤＭシンボル当たりの長さであり、gcd{NCP,1, NCP,2, ..., NCP,m, Nsample}は前記無線通信システムにおいてサポートされる前記ＣＰ長とNsampleとの最大公約数である、受信装置。
【請求項１７】
前記無線通信システムにおいてサポートされる前記ＣＰ長は、144＊Tsと160＊Tsを含み、Nsample＝2048＊Tsであり、Ts＝1/(2048＊15kHz)である、請求項１６に記載の受信装置。
【請求項１８】
Nbase＝128である、請求項１７に記載の受信装置。
【請求項１９】
前記無線通信システムにおいて、△offsetに対して３個の値のみあり、ｂは３と等しい、請求項１６に記載の受信装置。
【請求項２０】
△f＝15kHzである、請求項１６に記載の受信装置。